(57)【特許請求の範囲】
【請求項１】
玉貸し機で用いられた使用済みのカードを収納するカード収納装置において、
底面に対して斜めに傾けられて配置される傾斜板と、前記底面に対して垂直に配置され、前記傾斜板との組み合わせでＶ字型を形成する垂直板と、前記底面、前記傾斜板及び前記垂直板とそれぞれ垂直な位置に配置される側面板とを有し、引き出されることによって収納した前記カードを外部に運搬可能なカード保持部と、
前記側面板と平行に配置される飛び出し防止手段とを有し、
前記カードは、側面を前記垂直板、前記側面板及び前記飛び出し防止手段とによって保持され、前記傾斜板と平行に積み重ねられて収納され、
前記飛び出し防止手段は、前記カード保持部の収納時に前記カードの側面を保持し、前記カード保持部が引き出される際に前記カードの側面の保持を自動的に解除することを特徴とするカード収納装置。
【請求項２】
前記飛び出し防止手段は、前記カード保持部の収納時に弾性体の弾性力によって前記側面板と平行に配置され、前記カード保持部が引き出される際に前記カード保持部によって加圧され、その一端を軸とした回転運動を行うことによって前記側面板と垂直に配置されることを特徴とする請求項１記載のカード収納装置。
【発明の詳細な説明】
【０００１】
【発明の属する技術分野】
本発明は玉貸し機で用いられた使用済みのカードを収納するカード収納装置に関し、特に、限られた空間に設置されるカード収納装置に関する。
【０００２】
【従来の技術】
近年、遊技用の玉を購入し、購入した玉を遊技台に供給する玉貸し機において、玉の購入代金を金額データとして記録したカードを用い、購入する玉の金額換算を行う玉貸し機が提案されている。このような玉貸し機を用いる場合、まず、利用者は、遊技を行う金額に応じたカードの購入を行う。この際、購入したカードには、購入した金額に相当する金額データが記録されることとなる。例えば、利用者が１００００円分の遊技を行おうとする場合、利用者は１００００円に相当するカードを購入することとなり、この場合、購入したカードには１００００円分に相当する金額データが記録されることとなる。
【０００３】
カードを購入した利用者は、購入したカードを玉貸し機に挿入し、必要な分だけ玉を購入する。この購入に際し、購入した玉の代金はカードに記録された金額データから減算されることとなり、このカードによる玉の購入は、カードに記録された金額が玉の購入代金及び手数料を下回るまで行うことができる。そして、このように玉が購入され、金額データで示される残高が一定値を下回ったカードは、玉貸し機より排出され、利用者に返却されることとなる。
【０００４】
しかし、このように使用済みのカードを利用者に返却する玉貸し機においては、実質、使用済みのカードはすべて廃棄されることとなり、資源の有効利用、及びランニングコストの削減の面において望ましくない。そこで、このような問題を解決する手段として、使用済みのカードを玉貸し機の中に一旦収納し、それらを回収して再利用することができる玉貸し機の提案が行われている。
【０００５】
【発明が解決しようとする課題】
しかし、遊技スペースの有効利用が進められる中、玉貸し機が配置される占有幅も制限され、玉貸し機の幅をカードの幅より狭くしなければならない場合も生じている。このようにカードの幅よりも幅が狭い玉貸し機の場合、従来の方法では、使用済みのカードを玉貸し機の中に収納することが出来ず、使用済みのカードの回収を行うことができないという問題点がある。
【０００６】
また、カードを収納するカード収納部にカードの取出し口を設けると、カードの収納時にそのカードがカード取出し口から飛び出してしまう場合があり、一方、カード収納部にカード取出し口を設けないと収集されたカードの回収が行いづらいという問題点がある。
【０００７】
本発明はこのような点に鑑みてなされたものであり、カードの幅よりも幅が狭い玉貸し機において、使用済みのカードを整然と収納し、収納後のカードの回収が容易なカード収納装置を提供することを目的とする。
【０００８】
【課題を解決するための手段】
本発明では上記課題を解決するために、玉貸し機で用いられた使用済みのカードを収納するカード収納装置において、底面に対して斜めに傾けられて配置される傾斜板と、前記底面に対して垂直に配置され、前記傾斜板との組み合わせでＶ字型を形成する垂直板と、前記底面、前記傾斜板及び前記垂直板とそれぞれ垂直な位置に配置される側面板とを有し、引き出されることによって収納した前記カードを外部に運搬可能なカード保持部と、前記側面板と平行に配置される飛び出し防止手段とを有し、前記カードは、側面を前記垂直板、前記側面板及び前記飛び出し防止手段とによって保持され、前記傾斜板と平行に積み重ねられて収納され、前記飛び出し防止手段は、前記カード保持部の収納時に前記カードの側面を保持し、前記カード保持部が引き出される際に前記カードの側面の保持を自動的に解除することを特徴とするカード収納装置が提供される。
【０００９】
ここで、カード保持部はカードを斜めに積み重ねて収納し、飛び出し防止手段は収納されたカードがカードの取出し部から飛び出すことを防止する。
【００１０】
【発明の実施の形態】
以下、本発明の実施の形態を図面を参照して説明する。
図１は本形態おけるカード収納装置１の構成を示した断面構成図であり、図２はカード収納装置１の正面図を示している。ここで、図２の（ａ）は前面パネル１ｂが閉じた状態を、図２の（ｂ）は前面パネル１ｂが開いた状態をそれぞれ示している。
【００１１】
カード収納装置１は、引き出されることによって収納したカード１０を外部に運搬するカード保持部１ａ、外部に配置される開閉可能な扉である前面パネル１ｂ、前面パネル１ｂを施錠するパネルキー１ｃ、収納されたカード１０がカード取出し口から飛び出すことを防止する飛び出し防止手段であるストッパー１ｄ、カード１０が収納されているか否か判断するための検出光を発光する有無センサ発光部１ｅ、有無センサ発光部１ｅが発光した検出光を検出する有無センサ受光部１ｆ、収納されたカード１０の収納数が上限に達しているか否か判断するための検出光を発光する上限センサ発光部１ｇ、及び上限センサ発光部１ｇが発光した検出光を検出する上限センサ受光部１ｈによって構成されている。
【００１２】
図３及び図４に図１に示したカード保持部１ａの詳細構造図を示す。ここで、図３は図１に示したカード保持部１ａのＢ−Ｂ断面図を、図４はカード保持部１ａの斜視図を示す。
【００１３】
図３及び図４に示すように、カード保持部１ａは、カード保持部１ａの底面に対して斜めに傾いて配置される平面形状を有する傾斜板１ａａと、平面形状を有し、底面に対して垂直に配置され、傾斜板１ａａとの組み合わせでＶ字型を形成する垂直板１ａｂ、及び底面、傾斜板、垂直板とそれぞれ垂直な位置に配置される平面形状を有する側面板１ａｃによって構成されている。ここで、傾斜板１ａａは、有無センサ発光部１ｅから出力される検出光を通過させる検出光通過部１ａｄを有している。
【００１４】
図５は、カード収納装置１を有する玉貸し機２０の構成を示した断面構造図である。
玉貸し機２０は、カード１０に記録された金額データの読み取り等を行うカードリーダライタ２１、カードリーダライタ２１が読み取った金額データを判別し、カード１０の収納指示を行う制御装置２２、制御装置２２から収納指示を受けたカード１０を収納するカード収納装置１、及び制御装置２２から指示を受け、遊技台への玉供給指示を与える玉供給制御装置２３とによって構成されている。
【００１５】
カードリーダライタ２１はカード挿入口２１ａを有し、このカード挿入口２１ａからカード１０が挿入される。
制御装置２２は、プロセッサを中心とした構成となっており、図示されていないＲＯＭに格納されたプログラムに従って動作する。
【００１６】
また、カード１０としては磁気カード或いはＩＣカード等を用い、金額データの記録は、これらのカードに磁界或いは電界が与えられることによって行われる。
【００１７】
図６は、玉貸し機２０の電気的な構成を示した構成図である。
上述したように、玉貸し機２０は、制御装置２２、カードリーダライタ２１、玉供給制御装置２３、及びカード収納装置１が有するパネルキー１ｃ、有無センサ発光部１ｅ、有無センサ受光部１ｆ、上限センサ発光部１ｇ、上限センサ受光部１ｈを有している。制御装置２２は、パネルキー１ｃ、カードリーダライタ２１、玉供給制御装置２３、有無センサ発光部１ｅ、有無センサ受光部１ｆ、上限センサ発光部１ｇ及び上限センサ受光部１ｈとそれぞれ電気的に接続されており、玉供給制御装置２３は、遊技台と電気的に接続されている。また、制御装置２２には、カード収納装置１が有するパネルキー１ｃの開閉を遠隔操作する解錠装置３０が電気的に接続されている。
【００１８】
図７は、解錠装置３０と玉貸し機２０との電気的接続を示した構造図である。
解錠装置３０には、複数の玉貸し機２０の制御装置２２が電気的に接続され、各制御装置２２は各玉貸し機２０が有するカード収納装置１のパネルキー１ｃと電気的に接続されている。なお、図４では、説明の簡略化のため、制御装置２２及びパネルキー１ｃ以外の構成は省略した。
【００１９】
次に、以上の図を用いてカード収納装置１及び玉貸し機２０の動作について説明する。
利用者が玉貸し機２０を用いて遊技用の玉を購入する場合、まず、利用者は、店内に別途設置されたカード販売機等によってカード１０を購入する。ここで購入したカードには、玉を購入する代金が金額データとして記録されている。
【００２０】
カード１０を購入した利用者は、購入したカード１０を玉貸し機のカード挿入口２１ａから図５に示すＣ方向に挿入し、挿入されたカード１０はカードリーダライタ２１に取り込まれる。カード１０を取り込んだカードリーダライタ２１は、取り込んだカード１０に記録された金額データを読み込み、その結果を制御装置２２に伝える。
【００２１】
金額データを受け取った制御装置２２は、別途、利用者によって入力指示された玉の購入数等を考慮し、購入した玉の代金及び手数料等を金額データから減算し、玉供給制御装置２３に購入した玉の供給指示を与える。玉の供給指示を受け取った玉供給制御装置２３は遊技台へ玉の供給指示を与え、この指示を受け取った遊技台は玉の出力を行う。なお、本形態では、玉の出力自体は遊技台が行うこととしているが、玉貸し機２０に玉を出力する機構を設け、玉貸し機２０から玉を出力する構成としてもよい。
【００２２】
一方、玉の購入代金等を減算された金額データは、カードリーダライタ２１に送られ、そこでカード１０に記録されることとなるが、ここで、減算された金額データに相当する金額が１回の玉貸しに必要な金額以下になっている場合、制御装置２２は、カード１０に記録されている残高分の玉を出力する指示を玉供給制御装置２３に与え、残高分の玉を出力させる。同時に、カード１０の金額データに示される金額を０にし、カード１０をカード収納装置１に収納する指示をカードリーダライタ２１に与える。
【００２３】
この指示を受け取ったカードリーダライタ２１は、カード１０の金額データに示される金額を０にするとともに、そのカード１０をカード収納装置１に収納する。カード１０の収納は、カード１０をカード収納装置１の上部から下方に向かう方向（図１及び図５に示すＡ方向）に自由落下等させることによって行われ、落下したカード１０はカード収納装置１内部のカード保持部１ａに収納される。ここで、Ａ方向に落下したカード１０は、カード保持部１ａの傾斜板１ａａに達すると、この傾斜板１ａａに沿って倒れこみ、傾斜板１ａａ上に積み重なって配置されることとなる。これにより、カード１０はカード保持部１ａの底面に対して斜めに積み重ねられて収納されることとなる。図４に示すように、カード１０は、傾斜板１ａａ上に重ねられ、その１側面を垂直板１ａｂによって保持され、また別の１側面を側面板１ａｃによって保持されて収納される。ここで、収納されるカード１０は、傾斜板１ａａ、垂直板１ａｂ及び側面板１ａｃの３平面によってのみ保持されており、側面板１ａｃと向かい合うカード取出し口１ａｅ側の面からは保持されていない。そこで、このカード取出し口１ａｅ側の面からカード１０を保持し、カード取出し口１ａｅからのカード１０飛び出しを防止する手段として、ストッパー１ｄが用いられる。
【００２４】
図１及び図２の（ｂ）に示すように、ストッパー１ｄは板形状を有しており、その板形状の平面部によって、カード保持部１ａに収納されたカード１０の側面をカード取出し口１ａｅ側から保持する。ストッパー１ｄは、その１辺がカード収納装置１の内側側面に取りつけられ、その取付け部を軸とした回転運動を可能としている。この回転運動によって、ストッパー１ｄは、その平面部がカード保持部１ａのカード取出し口１ａｅ側の側面と平行に配置される位置から、垂直に配置される位置まで回転移動することが可能となっている。また、ストッパー１ｄは、バネ等の弾性体の弾性力によって、その平面部がカード取出し口１ａｅ側の側面と平行に配置されるように加圧されている。これにより、カード保持部１ａがカード収納装置１に収納された状態においては、常時、ストッパー１ｄが、カード保持部１ａに収納されたカード１０の側面をカード取出し口１ａｅ側から保持することとなる。
【００２５】
次に、カード保持部１ａの引き出し動作について説明する。図８に図５に示した玉貸し機２０のＤ‐Ｄ断面図を示す。ここで、図８の（ａ）は、カード保持部１ａがカード収納装置１に収納されている状態を示し、図８の（ｂ）は、カード保持部１ａがカード収納装置１から引き出されている状態を示している。
【００２６】
カード保持部１ａの引き出しを行う場合、まず、カード収納装置１の外部に取付けられた前面パネル１ｂの開扉が行われる。前面パネル１ｂは板形状を有しており、その板形状の一端を軸とした回転運動を行うことによって、開閉動作を行う。また、前面パネル１ｂはパネルキー１ｃによって施錠されており、パネルキー１ｃは、パネルキー１ｃに鍵を挿入することにより、或いは後述する遠隔操作を行うことによって解錠することができる。パネルキー１ｃが解錠され、前面パネル１ｂが図８の（ａ）に示したＥ方向に開扉されると、次に、カード保持部１ａの引き出し動作に移る。
【００２７】
カード保持部１ａのカード収納装置１外部への引き出しは、カード収納装置１の内部から、前面パネル１ｂに向かう方向（Ｇ方向）に行われる。カード保持部１ａにＧ方向の力が加えられた場合、カード保持部１ａは、そのカード取出し口１ａｅ側の側面によって、ストッパー１ｄを内側から外側の向けて加圧する。カード保持部１ａによって加圧されたストッパー１ｄは、上述した回転軸を中心とした回転運動（Ｆ方向）を行い、その平面部がカード取出し口１ａｅ側の側面と垂直になる位置へ回転移動する。これにより、カード取出し口１ａｅ側を保持していたストッパー１ｄがカード収納装置１の内側側面にしまい込まれ、その後更にカード保持部１ａにＧ方向の力が加えられることにより、カード保持部１ａのカード取出し口１ａｅが、カード収納装置１の外部に引き出されることとなる（図８（ｂ））。図９及び図１０は、カード保持部１ａがカード収納装置１の外部に引き出される過程を示したカード収納装置１の詳細斜視図である。ここで、図９は、ストッパー１ｄが、カード保持部１ａに収納されたカード１０の側面をカード取出し口１ａｅ側から保持し、前面パネル１ｂが開扉された状態を示し、図１０は、カード保持部１ａがカード収納装置１の外部に引き出された状態を示している。
【００２８】
次に、カード１０が収納されているか否か判断する有無センサ発光部１ｅ、有無センサ受光部１ｆ、及びカード１０の収納数が上限に達しているか否か判断する上限センサ発光部１ｇ、上限センサ受光部１ｈの動作について説明する。図１１及び図１２は、有無センサ発光部１ｅ、有無センサ受光部１ｆ、上限センサ発光部１ｇ、及び上限センサ受光部１ｈの動作を示した図である。
【００２９】
図１１及び図１２に示すように、有無センサ発光部１ｅはカード収納装置１の底面内側に、有無センサ受光部１ｆ及び上限センサ受光部１ｈはカード収納装置１の側面内側に、上限センサ発光部１ｇはカード収納装置１の上面内側にそれぞれ配置される。これにより、有無センサ発光部１ｅ及び上限センサ発光部１ｇからは、収納されるカード１０の積み重ね方向を斜めに横切る方向に検出光が出力されることとなる。
【００３０】
これらのセンサは、制御装置２２によって制御され、制御装置２２がカードリーダライタ２１に対してカード１０を収納する指示を行う場合、及び後述する遠隔操作によってパネルキー１ｃへ解錠指示が与えられた場合に一定期間動作し、有無センサ発光部１ｅから出力された検出光は有無センサ受光部１ｆで、上限センサ発光部１ｇから出力された検出光は上限センサ受光部１ｈでそれぞれ検出される。なお、本形態では、有無センサ発光部１ｅ及び上限センサ発光部１ｇからの検出光の出力は、制御装置２２がカードリーダライタ２１に対してカード１０を収納する指示を行う場合、及び遠隔操作によってパネルキー１ｃへ解錠指示が与えられた場合に一定期間行われることとするが、その他のタイミングで検出光の出力が行われることとしてもよい。
【００３１】
まず、図１１を用いて、カード１０が収納されているか否かを判断する判断方法について説明する。
図１１の（ａ）に示すように、カード保持部１ａにカード１０が収納されていない場合、有無センサ発光部１ｅから出力された検出光は、カード保持部１ａの検出光通過部１ａｄを通過し、有無センサ受光部１ｆに達する。そして、有無センサ受光部１ｆに達した検出光は、有無センサ受光部１ｆによって検出されることとなる。一方、図１１の（ｂ）に示すように、カード保持部１ａにカード１０が収納された場合、有無センサ発光部１ｅから出力された検出光は、カード保持部１ａに収納されたカード１０によって遮断され、この検出光が有無センサ受光部１ｆに達することはない。この場合、有無センサ受光部１ｆによる検出光の検出は行われない。
【００３２】
以上ように、カード保持部１ａにカード１０が収納されていない場合、有無センサ受光部１ｆは検出光を検出し、カード１０が収納されている場合、有無センサ受光部１ｆは検出光を検出しないこととなるため、有無センサ受光部１ｆが検出光を検出するか否かを判断することによって、カード１０がカード保持部１ａにカード１０が収納されているか否かを判断することが可能となる。
【００３３】
次に、図１２を用いて、カード１０の収納数が上限に達しているか否かを判断する判断方法について説明する。
図１２の（ａ）は、収納されたカード１０が収納数の上限に達していない場合を示している。この場合、上限センサ発光部１ｇから出力された検出光は、上限センサ受光部１ｈに達し、上限センサ受光部１ｈに達した検出光は、上限センサ受光部１ｈによって検出されることとなる。一方、図１２の（ｂ）は、カード１０が収納数の上限に達している場合を示し、この場合、上限センサ発光部１ｇから出力された検出光は、カード１０によって遮断され、この検出光が上限センサ受光部１ｈに達することはない。この場合、上限センサ受光部１ｈによる検出光の検出は行われない。
【００３４】
以上ように、収納されたカード１０が収納数の上限に達していない場合、上限センサ受光部１ｈは検出光を検出し、カード１０が収納数の上限に達している場合、上限センサ受光部１ｈは検出光を検出しないこととなるため、上限センサ受光部１ｈが検出光を検出するか否かを判断することによって、収納されたカード１０が収納数の上限に達しているか否かを判断することが可能となる。
【００３５】
次に、図６を用い、上述した判断手順について説明する。
制御装置２２がカードリーダライタ２１に対してカード１０を収納する指示を行う場合、或いは後述する遠隔操作によってパネルキー１ｃへ解錠指示が与えられた場合、制御装置２２は上限センサ発光部１ｇ及び有無センサ発光部１ｅに対し、一定期間検出光を出力させる指示を行う。この指示を受け取った上限センサ発光部１ｇ及び有無センサ発光部１ｅは検出光を発光し、有無センサ受光部１ｆ及び上限センサ受光部１ｈは、それらの検出光の検出結果を制御装置２２に送る。制御装置２２は、有無センサ受光部１ｆ及び上限センサ受光部１ｈから受け取った検出結果をもとに、上述した判断方法に従ってカード１０の有無及び収納状態を判断し、その判断結果に応じた各種の処理を行う。
【００３６】
次に、遠隔操作によって行われる複数のカード収納装置１の一括解錠動作について説明する。
図１３は、解錠装置３０の外観構成を示した斜視図である。解錠装置３０は、鍵穴３０ａ、解錠ランプ３０ｂ及び引抜ランプ３０ｃを有しており、この鍵穴３０ａに鍵を挿入して、パネルキー１ｃの遠隔操作を行う。図１４は、解錠装置３０に接続された複数の玉貸し機２０、及びそれらの玉貸し機２０に対応する遊技台４０の配置例を示した斜視図である。
【００３７】
解錠装置３０を用いて複数のカード収集装置１がそれぞれ有するパネルキー１ｃの解錠を行う場合、まず、解錠を行う店員等は、解錠装置３０の鍵穴３０ａに鍵を挿入し、挿入した鍵を押しながら解錠ランプ３０ｂの位置まで回す。これにより、解錠ランプ３０ｂが点灯し、解錠装置３０からは解錠信号が各玉貸し機２０の制御装置２２に送られる。解錠信号を受け取った各制御装置２２は、上述した方法によって、カード１０がカード収納装置１に収納されているか否か判断し、カード１０が収納されていると判断した場合、自己が制御するパネルキー１ｃの解錠を行う。ここで、カード１０が収納されていないと判断した場合には、パネルキー１ｃの解錠は行わない。このようにして各カード収集装置１のパネルキー１ｃの解錠が終了すると、次に、鍵を引抜ランプ３０ｃの位置まで回し、鍵を引抜き、解錠装置３０によるパネルキー１ｃの一括解錠動作を完了する。このようにすることにより、複数のカード収集装置１がそれぞれ有するパネルキー１ｃの解錠を連動して行うことが可能となり、解錠作業が簡易化される。
【００３８】
以上ように、本形態では、カード１０を斜めに積み重ねて収納することとしたため、カード１０の幅よりも玉貸し機２０の幅を狭くしなければならない場合であっても、使用済みのカード１０を収納及び回収を行うことが可能となる。
【００３９】
また、カード取出し口にストッパー１ｄを配置することとしたため、カード１０の収納時にカード１０がカード保持部１ａから飛び出ることを防止することが可能となり、使用済みのカード１０を整然と収納し、なおかつ収納後のカード１０の回収を容易に行うことが可能となる。
【００４０】
【発明の効果】
以上説明したように本発明のカード収納装置では、カードを斜めに積み重ねて収納することとしたため、カードの幅よりも玉貸し機の幅を狭くしなければならない場合であっても、使用済みのカードを収納及び回収を行うことが可能となる。
【００４１】
また、飛び出し防止手段を配置することとしたため、カードの収納時にカードがカード保持部から飛び出ることを防止することが可能となり、使用済みのカードを整然と収納し、なおかつ収納後のカードの回収を容易に行うことが可能となる。
【図面の簡単な説明】
【図１】カード収納装置の構成を示した断面構成図である。
【図２】カード収納装置の正面図である。
【図３】図１に示したカード保持部のＢ−Ｂ断面図である。
【図４】カード保持部の斜視図である。
【図５】カード収納装置を有する玉貸し機の構成を示した断面構造図である。
【図６】玉貸し機の電気的な構成を示した構成図である。
【図７】解錠装置と玉貸し機との電気的接続を示した構造図である。
【図８】図５に示した玉貸し機のＤ‐Ｄ断面図である。
【図９】カード保持部がカード収納装置の外部に引き出される過程を示したカード収納装置の詳細斜視図である。
【図１０】カード保持部がカード収納装置の外部に引き出される過程を示したカード収納装置の詳細斜視図である。
【図１１】有無センサ発光部、有無センサ受光部、上限センサ発光部、及び上限センサ受光部の動作を示した図である。
【図１２】有無センサ発光部、有無センサ受光部、上限センサ発光部、及び上限センサ受光部の動作を示した図である。
【図１３】解錠装置の外観構成を示した斜視図である。
【図１４】解錠装置に接続された複数の玉貸し機、及びそれらの玉貸し機に対応する遊技台の配置例を示した斜視図である。
【符号の説明】
１  カード収納装置
１ａ  カード保持部
１ａａ  傾斜板
１ａｂ  垂直板
１ａｃ  側面板
１ｄ  ストッパー
１ａｅ  カード取出し口
１０  カード
【図１】
0004462457.tif 000002
【図２】
0004462457.tif 000003
【図３】
0004462457.tif 000004
【図４】
0004462457.tif 000005
【図５】
0004462457.tif 000006
【図６】
0004462457.tif 000007
【図７】
0004462457.tif 000008
【図８】
0004462457.tif 000009
【図９】
0004462457.tif 000010
【図１０】
0004462457.tif 000011
【図１１】
0004462457.tif 000012
【図１２】
0004462457.tif 000013
【図１３】
0004462457.tif 000014
【図１４】
0004462457.tif 000015